(57)【要約】【課題】ＤＶＤを含む複数の音源から入力される音声信号に対して、ユーザの指示に応じて、選択的にサラウンド再生を行うマルチソースサラウンドオーディオ装置を提供することを目的とする。【解決手段】ＤＶＤ音声信号再生器（１３２＿２）はＤＶＤを再生してＤＶＤ再生音声信号（Ｓ５．１ｃ、Ｓ２ｃ）を生成し、再生信号判定器（１３４）はＤＶＤ再生音声信号が５．１チャンネルデジタルサラウンド音声信号と２チャンネルデジタル音声信号）の何れであるかを判定して判定信号（ＳＷ）を生成し、デジタルサラウンドエフェクタ（１６０）は判定信号（ＳＷ）に基づいて前記ＤＶＤ再生音声信号（Ｓ５．１ｃ、Ｓ２ｃ）が５．１チャンネルデジタルサラウンド音声信号（Ｓ５．１ｃ）の場合はＤＶＤ再生音声信号（Ｓ５．１ｃ）を２チャンネルデジタルサラウンド音声信号（Ｓ２ｃｄ）に変換する。【選択図】　　　　図１
2004040249.tif 000002
【特許請求の範囲】
【請求項１】
ＤＶＤを含む複数の音源から入力される音声信号に対して、ユーザの指示に応じて、選択的にサラウンド再生を行うマルチソースサラウンドオーディオ装置であって、
前記ユーザの指示に基づいて、入力される音声信号の音源を検出する音源検出手段と、
前記検出された音源がＤＶＤである場合には、当該ＤＶＤを再生してＤＶＤ再生音声信号を生成するＤＶＤ音声信号再生手段と、
前記ＤＶＤ再生音声信号が、５．１チャンネルデジタルサラウンド音声信号と２チャンネルデジタル音声信号の何れであるかを判定して判定信号を生成する再生信号判定手段と、
前記判定信号に基づいて、前記ＤＶＤ再生音声信号が５．１チャンネルデジタルサラウンド音声信号の場合は、当該ＤＶＤ再生音声信号を２チャンネルデジタルサラウンド音声信号に変換するデジタルサラウンドエフェクタとを備えるマルチソースサラウンドオーディオ装置。
【請求項２】
音声信号を２チャンネルサラウンド信号に変換するアナログサラウンドエフェクタをさらに備え、
前記ＤＶＤ再生音声信号が２チャンネルデジタル音声信号の場合は、当該ＤＶＤ再生音声信号を前記アナログサラウンドエフェクタによって２チャンネルサラウンド音声信号に変換させる第１のエフェクタ駆動手段とを備える、請求項１に記載のマルチソースサラウンドオーディオ装置。
【請求項３】
音声信号を２チャンネルサラウンド信号に変換するアナログサラウンドエフェクタをさらに備え、
前記検出された音源がＤＶＤ以外である場合には、当該音源より音声信号を取り出して再生音声信号を生成する音声信号再生手段と、
前記再生音声信号を前記アナログサラウンドエフェクタによって２チャンネルサラウンド音声信号に変換させる第２のエフェクタ駆動手段とを、請求項１に記載のマルチソースサラウンドオーディオ装置。
【発明の詳細な説明】
【０００１】
【発明の属する技術分野】
本発明は、ＤＶＤを含む複数の音源から入力される音声信号に対して、ユーザの指示に応じて、選択的にサラウンド再生を行うマルチソースサラウンドオーディオ装置に関する。
【０００２】
【従来の技術】
近年、ＤＶＤを含む複数種類のオーディオ信号源から音声を再生できるマルチソースオーディオ装置において、オーディオ信号源から再生されるオーディオ信号がサラウンド録音されている場合には、オーディオ信号毎に適切にサラウンド音声信号を再生できるマルチソースサラウンドオーディオ装置の実用化が望まれている。オーディオ信号源には、ＤＶＤ、ＣＤ、ＶＣＤ、およびＭＤに代表される光記録メディア（光ディスク）や、ＭＰ３データが記録された磁気記録メディア（なお、ＭＰ３データは光ディスクに記録されていても良い）、さらにＦＭ／ＡＭ放送、外部から入力される光信号および電気信号が含まれる。
【０００３】
マルチソースオーディオ装置においては、これらの複数のオーディオ信号源から入力されるオーディオ信号から、サラウンド音声信号を正しく生成する必要がある。
ＤＶＤには、５．１チャンネルデジタルサラウンド録音されたオーディオ信号（以降、「５．１ｃｈデジタルサラウンド信号」と略称する）と、２チャンネルのデジタル録音されたオーディオ信号（以降、「２ｃｈデジタル信号」と略称する）の２種類の少なくとも一方が記録されている。なお、２ｃｈデジタル信号は、ＣＤに代表されるＤＶＤ以外のオーディオ源に記録されているものとデコード方法においては基本的に同じである。
【０００４】
ＤＶＤ以外のオーディオ信号源やＤＶＤから入力される、２ｃｈデジタル信号からアナログの２チャンネルサラウンド音声信号（以降、２ｃｈアナログサラウンド音声信号」と称する）を生成するために、従来よりアナログの２チャンネルデジタルサラウンドエフェクタ（以降、「アナログサラウンドエフェクタ」と称する）が用いられる。また、アナログサラウンドエフェクタは、ＤＶＤから入力される２ｃｈデジタル信号から、２ｃｈアナログサラウンド音声信号を生成できる。
【０００５】
ＤＶＤから入力される５．１ｃｈデジタルサラウンド信号から５．１ｃｈのアナログサラウンド音声信号（以降「５．１ｃｈアナログサラウンド音声信号」と称す）を生成するために、本来は、専用の５．１ｃｈデジタルサラウンドエフェクタ（以降、「５．１ｃｈデジタルサラウンドエフェクタ」と称する）が用いられる。
【０００６】
【発明が解決しようとする課題】
マルチソースサラウンドオーディオ装置は、ユーザの要求に応じて、利用できるオーディオ信号源を切り替えて、記録されたオーディオ信号から正しくサラウンド音声信号を再生することが求められる。しかしながら、上述のマルチソースサラウンドオーディオ装置においては、切り替えられたオーディオ信号源の種類のみではなく、再生するオーディオ信号の種類との組み合わせに応じて、５．１ｃｈデジタルサラウンドエフェクタとアナログサラウンドエフェクタを適切に切り替える必要がある。
【０００７】
つまり、オーディオ信号源がＤＶＤで同一の場合でも、再生信号が５．１ｃｈデジタルサラウンド信号から２ｃｈデジタル信号に変わった場合には、５．１ｃｈデジタルサラウンドエフェクタからアナログサラウンドエフェクタに切り替えなければならない。また、オーディオ信号源が異なるものに、例えばＤＶＤからＦＭ放送へ、切り替えられ場合には、切り替えられる前が２ｃｈデジタル信号が再生されている場合は、アナログサラウンドエフェクタが引き続き使用される。
【０００８】
このように、上述のマルチソースサラウンドオーディオ装置においては、ユーザは、オーディオ信号源を切り替える時には、そのオーディオ信号源がＤＶＤである場合には、再生信号が５．１ｃｈデジタルサラウンド信号であるのか２ｃｈデジタル信号であるのかを識別して、５．１ｃｈデジタルサラウンドエフェクタとアナログサラウンドエフェクタの何れかを適切に選択して指示する必要がある。
また、５．１ｃｈデジタルサラウンドエフェクタを設けて、ＤＶＤの５．１ｃｈデジタルサラウンド音声信号を適切に再生しても、５．１ｃｈデジタルサラウンド録音を再現するためには、５．１チャンネルスピーカシステムを備える必要がある。しかしながら、ＤＶＤ以外のオーディオ信号源およびＤＶＤであっても２ｃｈデジタル信号には、５．１チャンネルスピーカシステムは無駄である。
【０００９】
よって、本発明は、ユーザが複数のオーディオ信号源の種類と再生信号の種類および、両者の組み合わせに基づいて、デジタルサラウンドエフェクタ或いはアナログサラウンドエフェクタを指定する必要なく、再生信号の種類に応じて適切なサラウンドエフェクタが自動的に適用されて、サラウンド音声信号が再生され、且つ５．１チャンネルスピーカシステムでなく通常の２チャンネルスピーカシステムで５．１ｃｈデジタルサラウンド信号および２ｃｈデジタル信号の双方をサラウンド再生できるマルチソースサラウンドオーディオ装置を提供することを目的とする。
【００１０】
【課題を解決するための手段および発明の効果】
第１の発明は、ＤＶＤを含む複数の音源から入力される音声信号に対して、ユーザの指示に応じて、選択的にサラウンド再生を行うマルチソースサラウンドオーディオ装置であって、
前記ユーザの指示に基づいて、入力される音声信号の音源を検出する音源検出手段と、
前記検出された音源がＤＶＤである場合には、当該ＤＶＤを再生してＤＶＤ再生音声信号を生成するＤＶＤ音声信号再生手段と、
前記ＤＶＤ再生音声信号が、５．１チャンネルデジタルサラウンド音声信号とチャンネルデジタル音声信号の何れであるかを判定して判定信号を生成する再生信号判定手段と、
前記判定信号に基づいて、前記ＤＶＤ再生音声信号が５．１チャンネルデジタルサラウンド音声信号の場合は、当該ＤＶＤ再生音声信号を第２の２チャンネルデジタルサラウンド音声信号に変換するデジタルサラウンドエフェクタとを備える。
【００１１】
上述のように、第１の発明においては、ＤＶＤから５．１チャンネルのデジタルサラウンド音声信号が再生される場合にも、２チャンネルデジタルサラウンド音声信号に変換することによって、非ＤＶＤ音源からの再生信号と同様に効果的にサラウンド再生ができる。
【００１２】
第２の発明は、第１の発明において、音声信号を２チャンネルサラウンド信号に変換するアナログサラウンドエフェクタをさらに備え、
前記ＤＶＤ再生音声信号が２チャンネルデジタル音声信号の場合は、当該ＤＶＤ再生音声信号を前記アナログサラウンドエフェクタによって２チャンネルサラウンド音声信号に変換させる第１のエフェクタ駆動手段とを備える。
【００１３】
上述のように、第２の発明においては、ＤＶＤから２チャンネルのデジタル音声信号が再生される場合にも、２チャンネルサラウンド音声信号に変換することによって、非ＤＶＤ音源からの再生信号と同様に効果的にサラウンド再生ができる。
【００１４】
第３の発明は、第１の発明において、音声信号を２チャンネルサラウンド信号に変換するアナログサラウンドエフェクタをさらに備え、
前記検出された音源がＤＶＤ以外である場合には、当該音源より音声信号を取り出して再生音声信号を生成する音声信号再生手段と、
前記再生音声信号を前記アナログサラウンドエフェクタによって２チャンネルサラウンド音声信号に変換させる第２のエフェクタ駆動手段とを、請求項１に記載のマルチソースサラウンドオーディオ装置。
【００１５】
【発明の実施の形態】
以下に、図１および図２を参照して、本発明の実施の形態にかかるマルチソースサラウンドオーディオ装置について説明する。図１に示すように、マルチソースサラウンドオーディオ装置ＭＭＳＡは、大別して、マルチソース部１００と、２チャンネルオーディオ部２００と、制御部３００と、表示部４００とを含む。マルチソース部１００は、複数のオーディオ信号源を有し、同オーディオ信号源から個別にオーディオ信号を取り出して２チャンネルオーディオ部２００に供給する。
【００１６】
２チャンネルオーディオ部２００は、マルチソース部１００から供給されるオーディオ信号に種々な処理を施して、２チャンネルの音声として出力する。なお、オーディオ信号がサラウンド録音されている場合には、２チャンネルオーディオ部２００から出力される２チャンネル音声もサラウンド効果を有することは言うまでもない。さらに、オーディオ信号がサラウンド録音されていないものにも、サラウンド効果を付与して出力することもできる。
【００１７】
表示部４００は、好ましくは、ＬＥＤ等などの発光手段で構成されて、マルチソースサラウンドオーディオ装置ＭＭＳＡの動作モードなどの情報を光によってユーザに提示する。制御部３００は、マルチソース部１００、２チャンネルオーディオ部２００、および表示部４００に接続されて、マルチソースサラウンドオーディオ装置ＭＭＳＡ全体の動作を制御する。
【００１８】
マルチソース部１００は、ＦＭ／ＡＭチューナ１１０、ＭＤドライブ１２０、コンビネーションドライブ１３０、拡張入力端子（図１では「ＡＵＸ」と表示）１４０、光入力端子１５０、および２チャンネルデジタルサラウンドエフェクタ（図１では、「ＤＳＵＲ」と表示）１６０を含む。ＦＭ／ＡＭチューナ１１０は、ラジオのＦＭ放送或いはＡＭ放送を受信して、放送音声信号Ｓｒｄを生成して、２チャンネルオーディオ部２００に出力する。ＭＤドライブ１２０は、ＭＤ（Ｒ）に録音されている音声信号を再生して、ＭＤ音声信号Ｓｍｄとして２チャンネルオーディオ部２００に出力する。補助入力端子１４０は、外部のオーディオ機器に接続されて、同オーディオ機器から入力される音声信号を補助音声信号Ｓａｕとして２チャンネルオーディオ部２００に出力する。光入力端子１５０は、光出力端子を有する外部のオーディオ機器に接続されて、同オーディオ機器から入力される光音声信号Ｓｏｐを２チャンネルオーディオ部２００に出力する。
【００１９】
コンビネーションドライブ１３０は、少なくとも１つの光ディスクドライブ１３２と、ドライブコントローラ１３４と、選択スイッチ１３６とを含む。選択スイッチ１３６は、１つの入力端子と、２つの出力端子と、セレクタとを有する。入力端子は、光ディスクドライブ１３２に接続されて、光ディスクドライブ１３２で再生された音声信号が入力される。一方の出力端子（以降、「第１出力端子」と称する）は、２チャンネルデジタルサラウンドエフェクタ１６０を介して２チャンネルオーディオ部２００に接続され、もう他方の出力端子（以降、「第２出力端子」と称する）は、２チャンネルオーディオ部２００に直接に接続されている。そして、選択スイッチ１３６は、ドライブコントローラ１３４から入力されるセレクト信号ＳＷに基づいて、セレクタを駆動して、入力端子を第１出力端子或いは第２出力端子の何れに接続して、光ディスクドライブ１３２から入力される音声信号を２チャンネルデジタルサラウンドエフェクタ１６０或いは２チャンネルオーディオ部２００の何れかに入力させる。
【００２０】
光ディスクドライブ１３２は、異なる光ディスクメディアを装着して、同光メディアから音声信号を読み出して選択スイッチ１３６の入力端子に出力する。なお、光ディスクドライブ１３２は、装着する光ディスクの種類を検出する手段を備え、検出された光ディスクの種類毎に、異なる光ディスクドライブとして認識される。よって、本明細書においては、説明の便宜上、それぞれを異なるドライブとして説明する。つまり、ドライブコントローラ１３４は、ＣＤドライブ１３２＿１、ＤＶＤドライブ１３２＿２、ＶＣＤドライブ１３２＿３、およびＭＰ３ドライブ１３２＿４を含む。
【００２１】
ＣＤドライブ１３２＿１は、ＣＤからＰＣＭ音声信号Ｓｃｄを再生して出力する。ＤＶＤドライブ１３２＿２は、ＤＶＤから５．１ｃｈデジタルサラウンド信号Ｓ５．１ｃ或いは、２ｃｈデジタル信号Ｓ２ｃを再生して出力する。ＶＣＤドライブ１３２＿３はビデオＣＤから音声信号を再生して、ビデオＣＤ音声信号Ｓｖｄとして出力する。ＭＰ３ドライブ１３２＿４は、光ディスクに記録されたＭＰ３ファイルから音声データを再生して、ＭＰ３音声信号Ｓｍｐとして出力する。
【００２２】
ドライブコントローラ１３４は、光ディスクドライブ１３２に接続されて、制御信号ＳＣを相互に交換すると共に光ディスクドライブ１３２の動作を制御する。なお、ドライブコントローラ１３４は、制御信号ＳＣに基づいて、光ディスクドライブ１３２に装着されている光ディスクの種類を検出すると共に、ＤＶＤドライブ１３２＿２から出力される再生信号が２ｃｈデジタル信号Ｓ２ｃか５．１ｃｈデジタルサラウンド信号Ｓ５．１ｃの何れであるかを検出して、同検出結果に基き、セレクト信号ＳＷを生成して選択スイッチ１３６に出力する。なお、セレクト信号ＳＷは、光ディスクドライブ１３２に装着されている光ディスクがＤＶＤ以外の場合は、選択スイッチ１３６のセレクタを第２出力端子に接続させて、光ディスクドライブ１３２から出力される再生音声信号を２チャンネルオーディオ部２００に直接出力させるように生成される。
【００２３】
光ディスクドライブ１３２に、ＤＶＤが装着されている場合は、セレクト信号ＳＷは、ＤＶＤドライブ１３２＿２から出力される再生音声信号が２ｃｈデジタル信号Ｓ２ｃの場合はセレクタに第２出力端子を選択させて、２ｃｈデジタル信号Ｓ２ｃを２チャンネルオーディオ部２００に入力させる。一方、ＤＶＤドライブ１３２＿２から出力される再生音声信号が５．１ｃｈデジタルサラウンド信号Ｓ５．１ｃの場合は、セレクト信号ＳＷは、セレクタを第１出力端子を選択させて、５．１ｃｈデジタルサラウンド信号Ｓ５．１ｃを２チャンネルデジタルサラウンドエフェクタ１６０に入力させる。
【００２４】
２チャンネルデジタルサラウンドエフェクタ１６０は、選択スイッチ１３６を介して、ＤＶＤドライブ１３２＿２から入力される５．１ｃｈデジタルサラウンド信号Ｓ５．１ｃをデコードして、２チャンネルデジタルサラウンド信号Ｓ２ｃｄを生成して、２チャンネルオーディオ部２００に出力する。
【００２５】
２チャンネルオーディオ部２００は、セレクタ２１０、音声信号処理器２３０、増幅器２４０、およびスピーカ２６０を含む。制御部３００は、好ましくは、オペレーションコントローラ３１０、受光器３２０、およびリモコン３３０を含む。ユーザは、リモコン３３０を操作して、マルチソースサラウンドオーディオ装置ＭＭＳＡに対する指示を与えることができる。つまり、ユーザの操作に応じて、リモコン３３０はリモコン信号ＳＲを照射する。受光器３２０は、リモコン３３０から照射されたリモコン信号ＳＲを受けて、ユーザの操作意志を反映したユーザ指示信号ＳＵをオペレーションコントローラ３１０に出力する。
【００２６】
オペレーションコントローラ３１０は、受光器３２０から入力されるユーザ指示信号ＳＵに基づいて、コンビネーションドライブ１３０の動作を制御信号するためのコンビネーションドライブ制御信号ＳＯｃを生成して、ドライブコントローラ１３４に出力する。ドライブコントローラ１３４は、コンビネーションドライブ制御信号ＳＯｃに基づいて、制御信号ＳＣを生成して、光ディスクドライブ１３２を制御する。一方、ドライブコントローラ１３４は、光ディスクドライブ１３２に装着されている光ディスクの種別を表すメディア識別情報やコンビネーションドライブ１３０の動作状態情報を含むコンビネーションドライブ状態信号ＳＭを生成してオペレーションコントローラ３１０に出力する。
【００２７】
オペレーションコントローラ３１０は、コンビネーションドライブ状態信号ＳＭに基づいて、セレクタ２１０の動作を制御するセレクタ制御信号ＳＯｓと音声信号処理器２３０の動作を制御する音声信号処理制御信号ＳＯｐを生成して、それぞれを、セレクタ２１０および音声信号処理器２３０に出力する。つまり、オペレーションコントローラ３１０は、ユーザ指示信号ＳＵに基づいて、ＦＭ／ＡＭチューナ１１０、ＭＤドライブ１２０、コンビネーションドライブ１３０、補助入力端子１４０、および光入力端子１５０の何れが利用されているかを検出する。つまり、セレクタ２１０に入力されている音声信号が、放送音声信号Ｓｒｄ、ＭＤ音声信号Ｓｍｄ、補助音声信号Ｓａｕ、音声信号処理制御信号ＳＯｐ、および光ディスクドライブ１３２からの再生音声信号の何れであるかを検出する。
【００２８】
そして、セレクタ２１０には、光ディスクドライブ１３２からの再生音声信号が入力されていると検出される場合には、さらにコンビネーションドライブ状態信号ＳＭに基づいて、それがＰＣＭ音声信号Ｓｃｄ、２ｃｈデジタル信号Ｓ２ｃ、ビデオＣＤ音声信号Ｓｖｄ、ＭＰ３音声信号Ｓｍｐ、および２チャンネルデジタルサラウンド信号Ｓ２ｃｄの何れが入力されているかを検出する。そして、オペレーションコントローラ３１０は、入力されていると検出された音声信号に対応する入力ポートを出力ポートに接続させるセレクタ制御信号ＳＯｓを生成してセレクタ２１０に出力する。セレクタ２１０は、セレクタ制御信号ＳＯｓによって指定された入力ポートに入力されている音声信号を音声データＳＤとして音声信号処理器２３０に出力する。
【００２９】
オペレーションコントローラ３１０は、さらに、ユーザ指示信号ＳＵに基づいて、セレクタ２１０から出力させた音声データＳＤにユーザが望む音声処理を施すべく音声処理制御信号ＳＯｐを生成して、音声信号処理器２３０に出力する。音声信号処理器２３０は、音声処理制御信号ＳＯｐに基づいて、例えば内蔵するアナログサラウンドエフェクタ２３０＿１を駆動して、２ｃｈアナログサラウンド音声信号を生成してアナログ音声信号ＳＡとして増幅器２４０に出力する。なお、アナログサラウンドエフェクタ２３０＿１を駆動させることなく、つまり２ｃｈアナログサラウンド音声信号を生成することなくアナログ音声信号ＳＡとして出力させることもあることは言うまでもない。
【００３０】
増幅器２４０は、音声信号処理器２３０から入力されるアナログ音声信号ＳＡを増幅して、スピーカ駆動信号ＳＡａを生成してスピーカ２６０に出力する。スピーカ２６０は、スピーカ駆動信号ＳＡａによって駆動されて、音波を発生して、音声を再現する。
【００３１】
なお、オペレーションコントローラ３１０は、上述のユーザ指示信号ＳＵおよびコンビネーションドライブ状態信号ＳＭに基づいて、マルチソースサラウンドオーディオ装置ＭＭＳＡの運転状態を表す運転状態表示信号ＳＯｄを生成して表示部４００に出力する。表示部４００は、運転状態表示信号ＳＯｄに基づいて、マルチソースサラウンドオーディオ装置ＭＭＳＡの運転状態を光りを用いてユーザに提示する。
【００３２】
次に、図２に示すフローチャートを参照して、マルチソースサラウンドオーディオ装置ＭＭＳＡによる音声再生動作について説明する。マルチソースサラウンドオーディオ装置ＭＭＳＡに電源が投入されてその動作が開始されると、先ず、ステップＳ２において、ユーザ指示信号ＳＵに基づいて、オペレーションコントローラ３１０においてサラウンド再生の指示がされているか否かが判断される。Ｙｅｓの場合、制御は次のステップＳ４に進む。
【００３３】
ステップＳ４において、ユーザ指示信号ＳＵに基づいて、オペレーションコントローラ３１０によって、コンビネーションドライブ１３０の再生動作が指定されているか否かが判断される。Ｙｅｓの場合、制御は次のステップＳ６に進む。
【００３４】
ステップＳ６において、ユーザ指示信号ＳＵおよびコンビネーションドライブ状態信号ＳＭに基づいて、オペレーションコントローラ３１０によって、ＤＶＤドライブ１３２＿２が指定されているか否かが判断される。なお、ＤＶＤドライブ１３２＿２にＤＶＤが実際に装着されていない場合には、リモコン３３０でＤＶＤドライブ１３２＿２を指示することができないので、ユーザ指示信号ＳＵがＤＶＤの再生を指示している場合は、ＤＶＤドライブ１３２＿２には常にＤＶＤが装着されている。なお、本ステップで、Ｙｅｓと判断される場合、制御は次のステップＳ８に進む。
【００３５】
ステップＳ８において、ドライブコントローラ１３４によって、ＤＶＤドライブ１３２＿２が駆動されて、装着されているＤＶＤが読み出されて、ＤＶＤ再生音声信号が生成される。そして、制御は次のステップＳ１０に進む。
【００３６】
ステップＳ１０において、ドライブコントローラ１３４によって、ＤＶＤ再生音声信号が５．１ｃｈデジタルサラウンド信号Ｓ５．１ｃであるか否かが判断される。Ｙｅｓの場合、制御は次のステップＳ１２に進む。
【００３７】
ステップＳ１２において、ドライブコントローラ１３４は、選択スイッチ１３６のセレクタが第１出力端子に接続するように、セレクト信号ＳＷを生成して出力する。結果、ＤＶＤドライブ１３２＿２によって、ＤＶＤから再生された５．１ｃｈデジタルサラウンド信号Ｓ５．１ｃは、２チャンネルデジタルサラウンドエフェクタ１６０に入力される。そして、制御は次のステップＳ１４に進む。
【００３８】
ステップＳ１４において、２チャンネルデジタルサラウンドエフェクタ１６０は、選択スイッチ１３６を介して入力された、５．１ｃｈデジタルサラウンド信号Ｓ５．１ｃをデコードして２チャンネルデジタルサラウンド信号Ｓ２ｃｄを生成して、セレクタ２１０に出力する。そして、処理は次のステップＳ１６に進む。
【００３９】
ステップＳ１６において、オペレーションコントローラ３１０は、音声処理制御信号ＳＯｐを音声信号処理器２３０に入力して、アナログサラウンドエフェクタ２３０＿１を起動させる。そして、制御は次のステップＳ２８に進む。
【００４０】
ステップＳ１８において、オペレーションコントローラ３１０はセレクタ制御信号ＳＯｓをセレクタ２１０に入力して、セレクタ２１０の入力ポートに入力されている再生中の音声信号を音声データＳＤとして音声信号処理器２３０に出力させる。なお、この場合、ステップＳ１４で生成された２チャンネルデジタルサラウンド信号Ｓ２ｃｄが音声データＳＤとして音声信号処理器２３０に入力されて、ステップＳ１６で起動されているアナログサラウンドエフェクタ２３０＿１が音声データＳＤ（２チャンネルデジタルサラウンド信号Ｓ２ｃｄ）をデコードして２チャンネルアナログサラウンド信号を生成して、アナログ音声信号ＳＡとして増幅器２４０に出力する。そして、制御は次のステップＳ２０に進む。
【００４１】
ステップＳ２０において、増幅器２４０はアナログ音声信号ＳＡを増幅してスピーカ駆動信号ＳＡａを生成して、スピーカ２６０に出力して、音声を再現させる。そして、制御は上述のステップＳ２に戻る。
【００４２】
一方、上述のステップＳ２においてＮｏ、つまり、ユーザはサラウンド再生を指示していない場合、制御はステップＳ２２に進む。
【００４３】
ステップＳ２２において、ドライブコントローラ１３４は、選択スイッチ１３６のセレクタが第２出力端子に接続するように、セレクト信号ＳＷを生成して出力する。結果、コンビネーションドライブ１３０で再生される音声信号はすべて２チャンネルデジタルサラウンドエフェクタ１６０で処理されることなく、直接セレクタ２１０に出力される。そして、制御は前述のステップＳ２４に進む。
【００４４】
ステップＳ２４において、アナログサラウンドエフェクタ２３０＿１を停止させる。そして、制御は前述のステップＳ１８に進む。
【００４５】
ステップＳ１８において、セレクタ２１０から入力された音声データＳＤは、音声信号処理器２３０（アナログサラウンドエフェクタ２３０＿１）でデコードされて２チャンネルアナログサラウンド信号が生成されることなく、アナログ音声信号ＳＡとして増幅器２４０に出力される。
【００４６】
また、上述のステップＳ４においてＮｏ、つまりコンビネーションドライブ１３０が指定されていないと判断される場合、制御は次のステップＳ２６進む。
【００４７】
ステップＳ２６において、上述のステップＳ１６におけるのと同様に、オペレーションコントローラ３１０は、音声処理制御信号ＳＯｐを音声信号処理器２３０に入力して、アナログサラウンドエフェクタ２３０＿１を起動させる。そして、制御は次のステップＳ２８に進む。
【００４８】
ステップＳ２８において、ＦＭ／ＡＭチューナ１１０、ＭＤドライブ１２０、補助入力端子１４０、および光入力端子１５０の内で、ユーザ指示信号ＳＵが指示するソースから音声信号が取り出されて、セレクタ２１０に出力される。そして、制御は上述のステップＳ１８に進む。
【００４９】
ステップＳ１８において、セレクタ２１０から入力される音声データＳＤは、音声信号処理器２３０（アナログサラウンドエフェクタ２３０＿１）でデコードされて２チャンネルアナログサラウンド信号が生成されて、アナログ音声信号ＳＡとして増幅器２４０に出力される。
【００５０】
また、上述のステップＳ６においてＮｏ、つまりＤＶＤドライブ１３２＿２が指示されていない場合、制御は上述のステップＳ２６に進む。そして、ステップＳ２８において、２チャンネルデジタルサラウンドエフェクタ１６０が駆動された後に、ステップＳ２８において、ＣＤドライブ１３２＿１、ＤＶＤドライブ１３２＿２、およびＭＰ３ドライブ１３２＿４の内で、ユーザ指示信号ＳＵが指示するソースから音声信号が取り出されて、セレクタ２１０に出力される。
【００５１】
また、上述のステップＳ１０でＮｏ、つまりＤＶＤからの再生信号は２ｃｈデジタル信号Ｓ２ｃである場合には、制御はステップＳ３０に進む。
【００５２】
ステップＳ３０において、上述のステップＳ２２と同様に、ドライブコントローラ１３４は、選択スイッチ１３６のセレクタが第２出力端子に接続するように、セレクト信号ＳＷを生成して出力する。結果、ＤＶＤドライブ１３２＿２から出力される２ｃｈデジタル信号Ｓ２ｃは、直接セレクタ２１０に出力される。結果、ステップＳ１６およびステップＳ１８を経て、２ｃｈデジタル信号Ｓ２ｃは音声信号処理器２３０のアナログサラウンドエフェクタ２３０＿１でデコードされて２チャンネルアナログサラウンド信号が生成される。
【００５３】
このように、ステップＳ２０でスピーカ駆動信号ＳＡａを生成して、スピーカ２６０で発音させた後に、処理をステップＳ２に戻して、上述のステップを繰り返し処理することによって、ユーザのリモコン操作に即時応答して、メディアからの再生信号に応じて、適正なサラウンド再生が可能である。さらに、ＤＶＤのトラック毎に、記録音声信号が５．１チャンネルから２チャンネル、或いはその逆に変わっても、正しくサラウンド再生ができる。また、５．１チャンネルデコーダの代わりに、２チャンネルデジタルサラウンドエフェクタ１６０を用いることによって、ＤＶＤ以外の複数のメディアを再生するマルチソースサラウンドオーディオ装置ＭＭＳＡにおいて、スピーカシステムを共用できるという利点を有する。
【図面の簡単な説明】
【図１】本発明の実施の形態にかかるマルチソースサラウンドオーディオ装置の構成を示すブロック図である。
【図２】図１に示したマルチソースサラウンドオーディオ装置の動作を示すフローチャートである。
【符号の説明】
ＭＭＳＡ　マルチソースサラウンドオーディオ装置
１００　マルチソース部
１１０　ＦＭ／ＡＭチューナ
１２０　ＭＤドライブ
１３０　コンビネーションドライブ
１３２　光ディスクドライブ
１３２＿１　ＣＤドライブ
１３２＿２　ＤＶＤドライブ
１３２＿３　ＶＣＤドライブ
１３２＿４　ＭＰ３ドライブ
１３４　ドライブコントローラ
１３６　選択スイッチ
１４０　２チャンネルデジタルサラウンドデコーダ
１５０　補助入力端子
１６０　光入力端子
２００　２チャンネルオーディオ部
２１０　セレクタ
２３０　音声信号処理器
２４０　増幅器
２６０　スピーカ
３００　制御部
３１０　オペレーションコントローラ
３２０　受光器
３３０　リモコン
４００　表示部
【図１】
2004040249.tif 000003
【図２】
2004040249.tif 000004